(57)【要約】      （修正有）【課題】圧縮または圧着工具への加工品の装填および／または圧縮、または圧着工具からの加工品の取出しに関連して改善された手動操作型の圧縮または圧着工具を提供する。【解決手段】圧縮または圧着工具（１）は、固定の挟み込みジョー（４）と可動の挟み込みジョー（６）とを有する。可動の挟み込みジョー（６）の閉鎖運動は、ニーレバー伝動部（１１）を介する可動のハンドレバー（９）の旋回によって引き起こすことができる。本発明によれば、さらなるレバー（４８）が、付加的ハンドレバー（４９）の形で設けられている。このさらなるレバー（４８）は前記可動の挟み込みジョー（６）と、前記さらなるレバー（４８）の旋回により、装填位置および／または取出し位置への前記挟み込みジョー（６）の開放運動を引き起こすことができるように連結されている。【選択図】図２
2020097093.tif 000002
【特許請求の範囲】
【請求項１】
圧縮または圧着工具（１）であって、
ａ）固定のハンドレバー（５）および挟み込みジョー（４）を備える固定の挟み込み部材（２）と、
ｂ）可動のハンドレバー（９）とを有し、
前記可動のハンドレバーは、前記固定のハンドレバー（５）の方向への前記可動のハンドレバー（９）の旋回により挟み込みジョー（６）の閉鎖運動が引き起こされ、前記閉鎖運動により加工品（５７）の圧着または圧着を行うことができるように、伝動機構（１０）を介して前記可動の挟み込みジョー（６）と連結されている、圧縮または圧着工具において、
ｃ）さらなるレバー（４８）が設けられており、前記さらなるレバー（４８）は、前記さらなるレバー（４８）の旋回により、装填位置および／または取出し位置（５６）への前記挟み込みジョー（６）の開放運動を引き起こすことができるように、伝動接続を介して前記可動の挟み込みジョー（６）と連結されている、
ことを特徴とする圧縮または圧着工具。
【請求項２】
前記さらなるレバー（４８）は付加的ハンドレバー（４９）であり、前記固定のハンドレバー（５）と前記可動のハンドレバー（９）との間に配置されている、ことを特徴とする請求項１に記載の圧縮または圧着工具（１）。
【請求項３】
前記さらなるレバー（４８）は、前記固定のハンドレバー（５）の方向への前記さらなるレバー（４８）の旋回により前記挟み込みジョー（６）の開放運動を引き起こすことができるように、前記伝動接続を介して前記可動の挟み込みジョー（６）と連結されている、ことを特徴とする請求項２に記載の圧縮または圧着工具（１）。
【請求項４】
前記伝動接続は、前記さらなるレバー（４８）と前記可動の挟み込みジョー（６）との堅固な接続である、ことを特徴とする請求項１から３のいずれか一項に記載の圧縮または圧着工具（１）。
【請求項５】
開放バネ（４２）が設けられており、前記開放バネは、前記可動の挟み込みジョー（６）および／または前記可動のハンドレバー（９）に対して、前記可動の挟み込みジョー（６）および／または前記可動のハンドレバー（９）が閉鎖位置（６０）から自動的に開放位置に移動されるように作用する、ことを特徴とする請求項１から４のいずれか一項に記載の圧縮または圧着工具（１）。
【請求項６】
閉鎖バネ（３６）が設けられており、前記閉鎖バネは、前記可動の挟み込みジョー（６）および／または前記さらなるレバー（４８）に対して、前記可動の挟み込みジョー（６）が閉鎖位置に付勢され、および／または前記さらなるレバー（４８）が閉鎖位置から自動的に開放位置の方向に移動されるように作用する、ことを特徴とする請求項１から５のいずれか一項に記載の圧縮または圧着工具（１）。
【請求項７】
ａ）閉鎖バネ（３６）の一方のバネ脚点（３７）が前記固定の挟み込み部材（２）にリンクされており、他方のバネ脚部（３９）は可動の挟み込み部材（３）にリンクされており、および／または
ｂ）開放バネ（４２）の一方のバネ脚点（４３）が前記固定の挟み込み部材（２）にリンクされており、他方のバネ脚部（４５）は前記可動のハンドレバー（９）にリンクされている、ことを特徴とする請求項５または６に記載の圧縮または圧着工具（１）。
【請求項８】
ａ）前記伝動機構（１０）を介して前記可動のハンドレバー（９）が前記可動の挟み込みジョー（６）と連結しており、前記伝動機構は、ストッパ（５２）により制限された遊び（５０）を有し、
ｂ）前記可動のハンドレバー（９）が前記固定のハンドレバー（５）の方向へ旋回する間、閉鎖位置への前記挟み込みジョー（６）の旋回運動によって、前記伝動機構（１０）の伝動要素が、前記ストッパ（５２）に当接して圧縮または圧着力を伝達し、
ｃ）これに対して、前記さらなるレバー（４８）が前記挟み込みジョー（６）の装填位置および／または取出し位置（５６）への開放運動により旋回すると、前記伝動要素は前記ストッパ（５２）から離れ、前記遊び（５０）を利用する、ことを特徴とする請求項１から７のいずれか一項に記載の圧縮または圧着工具（１）。
【請求項９】
前記遊び（５０）は少なくとも、前記可動のハンドレバー（９）の開放位置において前記さらなるレバー（４８）の位置に依存して、前記挟み込みジョー（６）が閉鎖位置から開放位置に移動可能であるが、前記可動のハンドレバー（９）はその開放位置を去ることはないような大きさである、ことを特徴とする請求項８に記載の圧縮または圧着工具（１）。
【請求項１０】
前記可動のハンドレバー（９）の開放位置では、
ａ）開放バネ（４２）が開放バネ力を前記可動の挟み込みジョー（６）に及ぼさず、
ｂ）閉鎖バネ（３６）は、閉鎖バネ力を前記可動の挟み込みジョー（６）に及ぼし、前記閉鎖バネ力は、前記さらなるレバー（４８）の閉鎖位置において最小であり、前記さらなるレバー（４８）の開放位置において最大である、ことを特徴とする請求項１から９のいずれか一項に記載の圧縮または圧着工具（１）。
【請求項１１】
前記伝動機構（１０）は、前記遊び（５０）を提供する長穴（５１）を有し、ストッパ（５２）は前記長穴（５１）の端部領域により形成されている、ことを特徴とする請求項８から１０のいずれか一項に記載の圧縮または圧着工具（１）。
【請求項１２】
前記伝動機構（１０）は、ニーレバー伝動部（１１）である、ことを特徴とする請求項１から１１のいずれか一項に記載の圧縮または圧着工具（１）。
【請求項１３】
前記ニーレバー伝動部（１１）は、前記長穴（５１）内に収容された旋回ボルト（２３）を有する、ことを特徴とする請求項１１を引用する請求項１２に記載の圧縮または圧着工具（１）。
【請求項１４】
強制ロック部（３７）が設けられており、前記強制ロック部は、
ａ）前記さらなるレバー（４８）に起因する前記可動の挟み込みジョー（６）の運動はロックせず、
ｂ）前記可動のハンドレバー（９）に起因する前記可動の挟み込みジョー（６）の運動をロックする、ことを特徴とする請求項１から１３のいずれか一項に記載の圧縮または圧着工具（１）。
【発明の詳細な説明】
【技術分野】
【０００１】
本発明は、圧縮または圧着工具に関する。圧縮または圧着工具により、ハンドレバーの手動操作を介して加工品を圧縮または圧着することができる。
【背景技術】
【０００２】
ここで圧着工具は、とりわけ持続的な機械的接続と電気的接触接続を形成するために用いられる。このことは好ましくは、任意の構造形式のケーブルまたは電気導体を備えるコネクタを圧着することにより行われる。使用されるダイのプロフィールに応じて、種々の圧着過程を圧着工具により実行することができる。例えばこれは閉鎖された圧着でも良く、この閉鎖された圧着では導体がコネクタの閉鎖された圧着ゾーンに、または閉鎖されたスリーブに導入され、圧着ゾーンまたはスリーブの可塑変形によって圧着される。しかし、開放した圧着を形成することも可能であり、この開放した圧着ではコネクタが開放した圧着ゾーンを有し、この圧着ゾーンに導体を上方から装填することができる。本発明を限定しない単なるいくつかの例を挙げるために、ここに関連する圧着工具により、以下のような加工品、例えば
ＤＩＮ４６２３によるケーブルシュー、
ＤＩＮ４６３２９によるアルミニウム接続器、
ＤＩＮ４８２０１によるアルミニウム圧縮ケーブルシュー
ＤＩＮ４６２３４による圧潰ケーブルシュー、
ＤＩＮ４６２３０によるピンケーブルシュー、または
ＷＥＺＡＧ有限会社工具ファブリックの製品カタログ“専門用途のための工具”、刊行番号１０／１１に記載されたような接続器、コネクタまたはケーブルシュー、
を圧着することができる。形成された圧着は、例えば閉鎖された圧着に対しては、六角またはヘキサゴンクリンプ、四角クリンプ、Ｂ字型クリンプ、台形クリンプ、修正された台形クリンプ、楕円クリンプ、針クリンプまたは２針クリンプとすることができる。開放した圧着は、例えばＶ字型クリンプまたはＢ型クリンプとして、ロールクリンプまたはダブルロールクリンプとして構成することができる。
【０００３】
ケーブルまたは導体とコネクタとの間に電気接続を形成することに加えて、いわゆる絶縁クリンプにより機械的接続も形成することができる。ここでは、閉鎖された絶縁クリンプまたは開放した絶縁クリンプ（とりわけＶ字型クリンプまたはＢ字型クリンプ、Ｏ字型クリンプまたはＯＶ字型クリンプ）を使用することができる。
【０００４】
上位概念による圧着工具の構成、
上位概念による圧着工具の可能な使用領域、および／または
上位概念の圧着工具によって形成することのできるクリンプ接続の種々の可能な形式、についてのさらなる情報に関しては、刊行物
ＷＥＺＡＧ有限会社工具ファブリックの“Ｃｒｉｍｐｔｅｃｈｎｉｋ，  Ｈｅｒｓｔｅｌｌｕｎｇ  ｐｒｏｚｅｓｓｓｉｃｈｅｒｅ  Ｖｅｒｂｉｎｄｕｇｅｎ  ｖｏｎ  ｅｌｅｋｔｒｉｓｃｈｅｎ  Ｌｅｉｔｅｒｎ  ｕｎｄ  Ｓｔｅｃｋｅｒｎ（圧着技術、電気導体およびコネクタのプロセス信頼接続の形成）”，Ｄｉｅ  Ｂｉｂｌｉｏｔｈｅｋ  ｄｅｒ  Ｔｅｃｈｎｉｋ，（独），Ｍｏｄｅｒｎｅ  Ｉｎｄｕｓｔｒｉｅ，ｐ．３４２，ＩＳＢＮ  ９７８−３−６８２３６−０７２−７
を参照されたい。種々異なる構造形式の上位概念による圧着工具は、独国特許発明第３７０８７２７号明細書、独国特許発明第１９７１３５８０号明細書、独国特許発明第１９７５３４３６号明細書、独国特許発明第１９８０２２８７号明細書、独国特許発明第１９８０７７３７号明細書、欧州特許出願公開第３２０８０４４号明細書、欧州特許出願公開第２３０５４２８号明細書から公知である。
【０００５】
これに対して、上位概念による圧縮工具は、流体技術において好ましくは機械的な液密接続に使用され、例えばパイプを互いに、または流体密の接続コネクタに接続するために使用される。ここでは圧縮工具によって、接続すべきパイプまたは機械的接続および流体密の密閉を保証するいわゆるフィッティングの可塑変形が行われる。上位概念による圧縮工具の例示的実施形態が、独国特許出願公開第１９７０９６３９号明細書、独国特許発明第１９８３４８５９号明細書、独国特許発明第１９９２４０８６号明細書、独国特許発明第１９９２４０８７号明細書、独国特許発明第１９９６３０９７号明細書、独国特許発明第１０３４６２４１号明細書、欧州特許出願公開第２９９５４２４号明細書、から得ることができる。
【０００６】
独国特許発明第１０２００７００１２３５号明細書は、上位概念ではない圧縮工具を開示し、この圧縮工具では、挟み込みジョーが旋回継手を介して旋回可能に互いに連結されている。旋回継手には第１のハンドレバーがリンクされている。第２のハンドレバーのクランク状の端部領域が第１の挟み込みジョーにリンクされている。最後に第３のハンドレバーは、挟み込みジョーの開放位置において、第１のハンドレバーと第２のハンドレバーとの間に配置されている。第３のハンドレバーは、クランク状の端部領域においてヒンジ支持部にリンクされており、ヒンジ支持部の他方の端部領域は第２の挟み込みジョーにリンクされている。そのクランキング領域には、第１のハンドレバーと第３のハンドレバーがそれぞれ旋回可能にリンクされた圧力レバーを介して互いに連結されており、圧力レバーを第３のレバーと連結するための旋回ボルトが第１のハンドレバーに固定されている。挟み込みジョーの閉鎖運動を引き起こすために、３つのハンドレバーは、互いに連続する２つの部分閉鎖行程において、それぞれの部分閉鎖行程のために力および旋回の点で最適化されている別々のニーレバー伝動部を次のように使用することができる。第１の部分閉鎖行程では、第３のハンドレバーの旋回が第１のハンドレバーの方向に行われる。この場合、継手は、第３のハンドレバーの端部領域とヒンジ支持部との間に、これにより形成された第１のニーレバー伝動部のニー継手を形成する。第１の部分閉鎖行程の終了により、第１のハンドレバーと第３のハンドレバーとは、互いに平行に配向され、第１のニーレバー伝動部並びに第１のハンドレバーと第３のハンドレバーが、２つのハンドレバーを把持するユーザの手により、または適切な切替装置により固定される。これに続く第２の部分閉鎖行程では、第２のハンドレバーの旋回が第１および第３のハンドレバーの方向に行われる。この場合、第２のニーレバー伝動部は、他方の挟み込みジョーに係合する。この第２のニーレバー伝動部では、ニーレバーが圧力レバーにより形成されており、一方、他方のニーレバーは、第２のハンドレバーのクランク状の端部領域により形成され、ニー継手は、圧力レバーと第２のハンドレバーとの間にある旋回支承部形成されている。したがって３つのハンドレバーは、３つのハンドレバーの組み合わせの下での種々の閉鎖運動により、挟み込みジョーの種々の部分閉鎖行程を保証するために用いられる。
【０００７】
米国特許第３６８８５５３号明細書は、電力システム用のフィッティングを圧縮するための圧縮工具に関する。閉鎖された状態で円形の断面を有する継手が、３つのダイ部分により形成され、３つのダイ部分はそれぞれダイの円形断面のそれぞれの部分周囲を画定する。ケーシングプレートにより形成された挟み込みヘッドに旋回可能に支承されている２つの旋回ジョーが、ここでは第１と第２のダイ部分を形成し、これらのダイ部分は、閉鎖された状態で円形のダイのそれぞれ四分の一を形成する。第３のダイ部分は、閉鎖された状態でダイの円形断面の半円を形成する。この第３のダイ部分は、プッシュロッドにより提供される。圧縮工具の第１実施形態に関して、２つのハンドレバーがそれらの終端領域で旋回ボルトを介してプッシュロッドにリンクされている。このリンク部から離間して、更にハンドレバーには引張タブのそれぞれの端部領域がリンクされており、引張タブの他方の端部領域はさらに挟み込みヘッドのケーシングプレートにリンクされている。ハンドレバーが互いに旋回することにより、ダイの閉鎖方向におけるプッシュロッドの運動を引き起こすことができる。スライドロッドは操作面を有し、この操作面は、スライドロッドの滑り方向に対して傾斜している。この操作面では、圧縮ジョーの端部領域に支承されたローラが転動する。したがって、ハンドレバーの閉鎖運動により引き起こされたスライドロッドの滑り運動により、一方では、スライドロッドにより形成された第３のダイ部分の、滑りおよび閉鎖方向での運動が引き起こされ、この運動は、スライドロッドの操作面による操作、および圧縮ジョーの閉鎖運動のための操作面とローラとの転がり接触を介して引き起こされる。ここで操作面の位置は、先ずフィッティングが長手断面方向に圧縮ジョーにより圧縮され、圧縮ジョーが閉鎖位置に到達して初めて、スライドロッドにより形成されたダイ部分がフィッティングと作用接続し、その前にもたらされたフィッティングの長手断面を規定どおりの円形断面にプレスするように選択されている。第２実施形態に関しては、スライドロッドの操作面は使用されず、したがって圧縮ジョーのローラと操作面との接触を介する圧縮ジョーの操作も使用されない。したがってハンドレバーの順次の旋回によって、プッシュロッドにより形成された第３のダイ部分の操作が行われるだけである。この実施形態に関しては、挟み込みヘッドに配置された端部領域内で角度の付された第３のハンドレバーが存在する。角度の付された領域では、第３のハンドレバーが旋回ボルトを介して圧縮ジョーにリンクされている。角度付与部の自由端部領域は、旋回ボルトを介して操作タブと旋回可能に接続されている。操作タブは、さらに他方の端部領域におて旋回ボルトを介して他方の圧縮ジョーにリンクされている。第３のレバーを操作タブと連結する旋回ボルトは、スライドロッドの長穴内で案内される。フィッティングを圧縮して作業工程を実行するために、２つのハンドルレバーと第３のハンドルレバーが開放され、これによりフィッティングを圧縮工具の口部に装填することができる。これに続いて第３のハンドルレバーが閉鎖され、一方、２つのハンドルレバーは開放されたままである。第３のハンドルレバーの閉鎖運動により、圧縮ジョーが閉鎖され、フィッティングは長手の圧縮状態に変形される。第３のハンドルレバーの閉鎖位置では、閉鎖位置に到達した第３のハンドルレバーがセルフロックするようになる。そして、２つのハンドルレバーは旋回することができ、これによりスライドロッドが運動し、スライドロッドの端面側によってフィッティングが規定どおりに円形の断面に変形される。
【０００８】
さらなる従来技術は、独国特許第６９３１９６２８号翻訳および米国特許第５０１２６６６号明細書から公知である。
【先行技術文献】
【特許文献】
【０００９】
【特許文献１】独国特許発明第３７０８７２７号明細書
【特許文献２】独国特許発明第１９７１３５８０号明細書
【特許文献３】独国特許発明第１９７５３４３６号明細書
【特許文献４】独国特許発明第１９８０２２８７号明細書
【特許文献５】独国特許発明第１９８０７７３７号明細書
【特許文献６】欧州特許出願公開第３２０８０４４号明細書
【特許文献７】欧州特許出願公開第２３０５４２８号明細書
【特許文献８】独国特許出願公開第１９７０９６３９号明細書
【特許文献９】独国特許発明第１９８３４８５９号明細書
【特許文献１０】独国特許発明第１９９２４０８６号明細書
【特許文献１１】独国特許発明第１９９２４０８７号明細書
【特許文献１２】独国特許発明第１９９６３０９７号明細書
【特許文献１３】独国特許発明第１０３４６２４１号明細書
【特許文献１４】欧州特許出願公開第２９９５４２４号明細書
【特許文献１５】独国特許発明第１０２００７００１２３５号明細書
【特許文献１６】米国特許第３６８８５５３号明細書
【特許文献１７】独国特許第６９３１９６２８号翻訳
【特許文献１８】米国特許第５０１２６６６号明細書
【非特許文献】
【００１０】
【非特許文献１】“Ｃｒｉｍｐｔｅｃｈｎｉｋ，  Ｈｅｒｓｔｅｌｌｕｎｇ  ｐｒｏｚｅｓｓｓｉｃｈｅｒｅ  Ｖｅｒｂｉｎｄｕｇｅｎ  ｖｏｎ  ｅｌｅｋｔｒｉｓｃｈｅｎ  Ｌｅｉｔｅｒｎ  ｕｎｄ  Ｓｔｅｃｋｅｒｎ”，Ｄｉｅ  Ｂｉｂｌｉｏｔｈｅｋ  ｄｅｒ  Ｔｅｃｈｎｉｋ，（独），Ｍｏｄｅｒｎｅ  Ｉｎｄｕｓｔｒｉｅ，ｐ．３４２
【発明の概要】
【発明が解決しようとする課題】
【００１１】
本発明の基礎とする課題は、
力分布、
操作快適性および／または
操作確実性、
に関して、
とりわけ圧縮または圧着工具への加工品の装填および／または圧縮、または圧着工具からの加工品の取出しに関連して改善されている手動操作型の圧縮または圧着工具を提案することである。
【課題を解決するための手段】
【００１２】
本発明の課題は、本発明により独立請求項の特徴によって解決される。さらなる好ましい本発明の構成は、従属請求項に記載されている。
【００１３】
発明の説明
本発明は、基本的に任意の構造形式の（冒頭に挙げた従来技術を参照のこと）圧縮または圧着工具に関するものであるが、ただしこの圧縮または圧着工具は、固定のハンドレバーおよび固定の挟み込みジョーを備える挟み込み部分を有する。ここで固定の挟み込み部分は、一体式または多分割式に構成することができる。さらに本発明の圧縮または圧着工具は、可動のハンドレバーを有する。可動のハンドレバーは、伝動機構を介して可動の挟み込みジョーと連結されている。ここで伝動機構は、力および経路を適切に増速または減速する任意の変速接続として構成することができる。ここで、可動のハンドレバーの連結は、可動の挟み込みジョーとの伝動機構を介して、固定のハンドレバーの方向での可動のハンドレバーの旋回により、可動の挟み込みジョーの閉鎖運動を引き起こすことができるように行われる。可動の挟み込みジョーのこの閉鎖運動により、固定の挟み込みジョーと可動の挟み込みジョーとの間で、とりわけ挟み込みジョーにより保持または形成されたダイの領域において加工品が圧着または圧縮される。
【００１４】
驚くべきことに本発明は、（固定のハンドレバーと可動のハンドレバーに加えて）さらなるレバーを装備する圧縮または圧着工具を提案する。さらなるハンドレバーは、伝動接続を介して可動の挟み込みジョーと連結されている。ここで、伝動接続を介する連結は、さらなるレバーの旋回により、装填位置および／または取出し位置への挟み込みジョーの開放運動が引き起こされるように行われる。
【００１５】
本発明の枠内で、例えばさらなるレバーの運動を可動のレバーの運動と恒久的に連結することが可能である。これにより、可動のハンドレバーとさらなるレバーは、２つのレバーの運動の際に、同じように旋回するか、または異なって旋回する。異なる旋回は、固定的に設定された変速比または構造的に設定された可変の変速比を備える。しかし、さらなるレバーの運動を、可動のハンドレバーの運動から部分行程または行程全体にわたり分離することも可能である。これにより、さらなるレバーを旋回し、一方、可動のハンドレバーは旋回しないこと（および／またはその反対）も可能である。
【００１６】
本発明によれば、設けられた種々のレバーを本発明の枠内で、種々の目的のために使用することができる。可動のハンドレバーの手動操作の結果として、工作物の圧着または圧縮を、挟み込みジョーの閉鎖運動を介して引き起こすことができるが、さらなるレバーの手動操作は、装填位置および／または取出し位置への挟み込みジョーの開放運動を引き起こすために使用することができる。この装填位置および／または取出し位置では、工作物の装填および／または取出しが可能または容易である。
【００１７】
本発明の枠内で、さらなるレバーは、好ましくは固定のハンドレバーおよび／または可動のハンドレバーを握る手、またはこの手の指のグリップ領域に配置されている。これにより、例えばその度に把持することなく、または手を最小限にしか使わずに、一方では可動のハンドレバーの操作が、加工品の圧着または圧縮のための挟み込みジョーの閉鎖運動を引き起こすことができ、他方ではさらなるレバーの操作によって、装填位置および／または取出し位置への挟み込みジョーの開放運動を引き起こすことができる。
【００１８】
本発明の枠内で、さらなるレバーは任意の（例えば直線状またはクランク状）形状、任意の長さを有することができ、および／または圧縮または圧着工具の任意の箇所に配置することができる。圧縮または圧着工具の構成に関して、さらなるレバーは、固定のハンドレバーと可動のハンドレバーとの間に配置された付加的ハンドレバーである。この構成は、いずれにしろ固定のハンドレバーと可動のハンドレバーとの間に存在する、付加的ハンドレバーを配置するための中間空間を利用する。この場合、付加的ハンドレバーと可動のハンドレバーは同じ旋回面内で旋回される。圧縮または圧着工具の挟み込みヘッドとは反対側の付加的ハンドレバーの端部領域は、可動のハンドレバーの対応の端部領域の旋回円の領域内にあるか、またはそれの外部または内部にある。
【００１９】
付加的ハンドレバーの操作と、可動の挟み込みジョーへの付加的ハンドレバーの運動の伝達のための操作運動は任意にすることができる。本発明の提案に関して、付加的ハンドレバーは、固定のハンドレバーの方向での付加的ハンドレバーの旋回により挟み込みジョーの開放運動が引き起こされるように、伝動接続を介して可動の挟み込みジョーと連結されている。これにより本発明を制限することなく、この構成の可能な作用を、以下の例に基づき説明する。ユーザの手の内面が固定のハンドレバーの外面にある場合、ユーザは少なくとも一本の指で付加的ハンドレバーを把持し、少なくとも一本の指の力により付加的ハンドレバーを固定のハンドレバーの方向に旋回することができる。これにより、挟み込みジョーの開放運動が行われ、装填位置および／または取出し位置を引き起こすことができ、加工品の挟み込みジョーないし所属のダイへの装填、あるいは挟み込みジョーないし所属のダイからの取出しを行うことができる。加工品を圧着または圧縮するために挟み込みジョーの閉鎖運動を引き起こすべき場合、ユーザは指を付加的ハンドレバーから離し、この指を外から可動のハンドレバーに置き、一方、手の内面は相変わらず外から固定のハンドレバーに支持することができる。そしてユーザは、指により所要の力を可動のハンドレバーにもたらすことができ、これにより加工品を圧着または圧縮するために挟み込みジョーの閉鎖運動を引き起こすことができる。
【００２０】
付加的ハンドレバーを可動の挟み込みジョーと連結する伝動接続は、増速または減速を行う任意の変速接続として構成することができる。圧縮または圧着工具の構成に関して、伝動接続は、付加的ハンドレバーと可動の挟み込みジョーとの固定的接続である。ここで例えば、付加的ハンドレバーは、可動の挟み込みジョーと一体的な構成部材として構成することができる。または付加的ハンドレバーと可動の挟み込みジョーとは別個の構成部材として構成することができ、これらの構成部材は、直接または間接的に、解離可能または解離不能に、しかしいずれの場合でも固定的な接続により互いに接続されている。このようにして、構造的に簡単な、しかし信頼性のある伝動接続を提供することができる。
【００２１】
さらなる提案に関して、圧縮または圧着工具には開放バネが装備されている。開放バネは、可動の挟み込みジョーおよび／または可動のハンドレバーに対して（直接または間接的に）、可動の挟み込みジョーおよび／または可動のハンドレバーが閉鎖位置から自動的に開放位置に移動されるように作用する。このことは、特に圧縮または圧着工具が、加工品が完全に圧着または圧縮された閉鎖位置に達した場合に有利である。そして、固定のハンドレバーおよび可動のハンドレバーに適用される力が低減または除去されると、開放バネによって可動の挟み込みジョーおよび／または可動のハンドレバーの自動的な開放を引き起こすことができる。このことは、圧縮または圧着工具の操作快適性を高める。
【００２２】
圧縮または圧着工具は閉鎖バネを有することもできる。閉鎖バネは、可動の挟み込みジョーおよび／またはさらなるレバーに対して、可動の挟み込みジョーが閉鎖位置に付勢されるように、および／またはさらなるレバーが閉鎖位置から自動的に開放位置の方向に移動されるように作用する。閉鎖バネによって形成される閉鎖バネ力であって、移動された挟み込みジョーに対して閉鎖方向に作用する閉鎖バネ力は、例えば、さらなるレバーの操作により装填位置および／または取出し位置を引き起こし、加工品をダイに装填した後に、ユーザによるさらなるレバーの付勢を低減または除去するために用いることができ、この間に、閉鎖バネ力は可動の挟み込みジョーを閉鎖方向に付勢する。したがって加工品は、２つの挟み込みジョーの間で閉鎖バネ力によって緊張され、これにより加工品は、前もって手動で引き起こされた位置および／または配向でダイの間に固定することができる。しかし場合により、このようにダイの中で挟み込みジョーの間に固定された加工品に対してさらに、この加工品の後調整を行うこともでき、この後調整は、ユーザが加工品を別の配向および／または位置に押圧することにより行われる。このことは、閉鎖バネの作用に抗する挟み込みジョーの弾性的な上昇を引き起こし、または閉鎖バネにより付勢されたダイに対する加工品の摩擦性の滑り運動も引き起こす。
【００２３】
本発明の枠内で、開放バネおよび／または閉鎖バネは、ただ1つのバネまたは複数のバネから形成することができ、複数のバネは、並列または直列に配置することができる。ここで少なくとも１つのバネは任意の材料（例えば金属、プラスチック、エラストマー材料、複合材料）から作製することができる。これは、圧縮バネ、テンションスプリング、回転角バネ、トーションバネ、またはその他の任意の構造形式のバネとすることができる。少なくとも１つのバネは、圧縮または圧着工具の力の流れの中の任意の箇所に組み込むことができる。線形または非線形のバネ特性を備える少なくとも１つのバネを使用することができる。
【００２４】
圧縮または圧着工具の構成に関し、閉鎖バネの一方のバネ脚点が固定の挟み込み部分にリンクされており、閉鎖バネの他方のバネ脚点が可動の挟み込み部分にリンクされている。  択一的にまたは追加的に、開放バネの一方のバネ脚点が固定の挟み込み部分にリンクされており、開放バネの他方のバネ脚点が可動の挟み込み部分にリンクされていることも可能である。
【００２５】
本発明は、開放バネおよび閉鎖バネがただ1つの統合バネ要素によって構成されている実施形態も含む。とりわけ未公開の欧州特許出願第１８１６６７２９号も参照されたい。
【００２６】
本発明は、伝動機構が、可動のハンドレバーと可動の挟み込みジョーとの連結のために恒久的に作用する実施形態を含み、したがってさらなるレバーによる可動の挟み込みジョーの運動によって、伝動機構を介して連結されているから、可動のハンドレバーも移動される。圧縮または圧着工具の他の実施形態に関し、可動のハンドレバーを可動の挟み込みジョーと連結する伝動機構は遊びを有することが提案される。ここでこの遊びは、ストッパによって制限されている。ストッパおよび遊びによって、以下の好ましい作用を引き起こすことができる。可動のハンドレバーが固定のハンドレバーの方向に、挟み込みジョーの閉鎖位置への閉鎖運動により旋回する間に、すなわち加工品の圧着または圧縮の間に、伝動機構の伝動要素はストッパに当接し、これにより遊びは作用しなくなり、圧縮力または圧着力の遊びのない伝達を行うことができる。これに対して、さらなるレバーが、挟み込みジョーの装填位置および／または取出し位置への開放運動により旋回すると、伝動要素はストッパから離れ、これにより遊びを利用した運動が行われる。その結果、さらなるレバーの操作により装填位置および／または取出し位置を引き起こすための開放運動に関して、可動のハンドレバーは、挟み込みジョーの開放運動があっても連行されない。このことは、場合により圧縮または圧着工具の操作を簡単にする。
【００２７】
この遊びは、任意に寸法設定することができ、したがって説明した作用は部分運動に対してだけ発生するか、または説明した運動全体に対して発生する。本発明の提案に関して、遊びは少なくとも、移動されたハンドレバーの開放位置においてさらなるレバーの位置に依存して、このレバーにより可動の挟み込みジョーが閉鎖位置から開放位置に移動可能であるが、可動のハンドレバーはその開放位置を去ることはないような大きさである。このようにして、さらなるレバーの操作全体にわたり、可動のハンドレバーの旋回角が変化しないことを保証することができる。
【００２８】
本発明のさらなる提案に関して、開放バネは、可動のハンドレバーの開放位置において開放バネ力を可動の挟み込みジョーに及ぼさない。このことにより、閉鎖バネの閉鎖バネ力が、開放バネの作用によって低減されなくなる。他方で閉鎖バネは、閉鎖バネ力を可動の挟み込みジョーに及ぼす。この閉鎖バネ力は、さらなるレバーの閉鎖位置において最小であり、一方、この閉鎖バネ力はさらなるレバーの開放位置において最大である。ここで閉鎖バネは、さらなるレバーの閉鎖位置において弛緩することができ、したがって最小の閉鎖バネ力はゼロである。しかしさらなるレバーの閉鎖位置において閉鎖バネ力がすでにゼロよりも大きいことも可能であり、したがって閉鎖バネは常に予付勢されている。このようにして閉鎖バネは、例えば挟み込みジョーにより形成または支持されるダイに加工品が装填されていない場合でも、加工品が十分な閉鎖バネ力によりダイの間に確保されることを保証することができる。
【００２９】
場合により本発明の枠内で、加工品を閉鎖バネの閉鎖バネ力により保持することにより、ダイに対する加工品の正しい位置または配向を保証するための、いわゆる位置決め器またはロケータの使用を省略することができる。
【００３０】
遊びおよび制限するストッパを提供することは、任意のやり方で行うことができる。圧縮または圧着工具の構成に関して、伝動機構は、遊びを提供する長穴を有する。この場合、ストッパは、長穴の端部領域によって構成されている。この構成は、遊びおよびストッパを提供するための簡単であるが、信頼性のある可能性である。
【００３１】
前に説明したように、圧縮または圧着工具には任意の伝動機構を使用することができる。好ましくは伝動機構は、ニーレバー伝動部である。この場合、ニーレバー伝動部における遊びおよびストッパの提供は、ニーレバー伝動部が旋回ボルトを有することにより行うことが可能であり、この旋回ボルトは、ニーレバーのための継手の旋回ボルト、またはニー継手を形成するための旋回ボルトである。旋回ボルトは、この場合長穴内に収容することができ、これにより所要の遊びおよびストッパを提供することができる。
【００３２】
圧縮または圧着工具のさらなる実施形態に関し、圧縮または圧着工具が強制ロック部を有することが提案される。強制ロック部は、加工品の圧着または圧縮の間に、挟み込みジョーの一度達成された閉鎖位置を確保するために用いられる。これにより、圧縮または圧着行程の間にユーザによる操作力が一時的に低下する場合でも、または手が圧縮または圧着工具から離される場合でも挟み込みジョーは不所望に開放しなくなる。他方では、強制ロック部は、閉鎖位置に到達するとともに圧着または圧縮工具の再開放を可能にすることが望まれる。本発明の枠内で、強制ロック部の作用および構成は、ここに存在する要求に対して、以下のように適合することができる。ここで強制ロック部は、可動の挟み込みジョーの位置を、可動の挟み込みジョーの可能な運動領域全体にわたって確保しない。むしろ強制ロック部は、さらなるレバーに起因する可動の挟み込みジョーの運動をロックせず、一方、挟み込みジョーは、可動のハンドレバーに起因する可動の挟み込みジョーの運動をロックする。言い替えると、強制ロック部は、さらなるレバーにより取出し位置および／または装填位置が引き起こされるべき場合には作用せず、したがって開放運動が可能である。一方、挟み込みジョーは、加工品の圧着または圧縮のための閉鎖運動を、その際に達成された閉鎖位置を同時に確保するとともに可能にすべきである。
【００３３】
本発明の有利な発展形態は、特許請求の範囲、明細書および図面から得られる。明細書に述べた特徴および複数の特徴の組み合わせの利点は単なる例であり、択一的にまたは累積的に作用することができ、これらの利点は本発明の実施形態により必然的に達成する必要はない。これにより添付された特許請求の範囲の対象が変更されることなく、当初の出願書類および特許の開示内容に関して以下のことが当てはまる。さらなる特徴は、図面、とりわけ図示の幾何形状および複数の構成部材の互いの相対的寸法並びにそれらの相対的配置と作用接続から理解される。本発明の種々の実施形態の特徴の組み合わせ、または種々の特許請求項の特徴の組み合わせは、特許請求項の選択された引用関係から異なっても同様に可能であり、ここにおいて提案される。このことは、別個の図面に示される特徴、または図面の説明において述べられる特徴にも該当する。これらの特徴は、異なる特許請求項の特徴と組み合わせることもできる。同様に特許請求の範囲に挙げられた特徴は、本発明のさらなる実施形態に対しても当てはまる。
【００３４】
特許請求の範囲および明細書に挙げた特徴は、それらの数に関して、副詞「少なくとも」を明示的に使用する必要なく、ちょうどその数であり、または前記数よりも大きい数が存在していると理解すべきである。したがって例えばバネについて述べる場合、これはちょうど１つのバネ、２つのバネまたは複数のバネが存在することであると理解すべきである。これらの特徴は、別の特徴により補完することができ、またはそれぞれの製品を構成するただ１つの特徴であってもよい。
【００３５】
特許請求の範囲に含まれる参照符号は、特許請求の範囲により保護される対象の範囲を制限するものではない。参照符号は、特許請求の範囲を容易に理解する目的のためにだけ用いられる。
【００３６】
以下、本発明を、図面に示された好ましい実施例に基づき更に説明し記述する。
【図面の簡単な説明】
【００３７】
【図１】圧着工具の斜視的分解図を示す。
【図２】図１の圧着工具を、部分的に分解された状態で平面図に示す。
【図３】図１と２による圧着工具を準備位置において示す図である。
【図４】図１と２による圧着工具を装填位置において示す図である。
【図５】図１と２による圧着工具を保持位置において示す図である。
【図６】図１と２による圧着工具を出発位置において示す図である。
【図７】図１と２による圧着工具を閉鎖位置において示す図である。
【図８】図１と２による圧着工具を、可動のハンドレバーの開放位置と挟み込みジョーの閉鎖位置において示す図である。
【図９】図１と２による圧着工具を取出し位置において示す。
【図１０】図１から９の圧着工具を付加的な電子構成ユニットと共に示す斜視的分解図である。
【図１１】圧着工具のさらなる実施形態を、種々の部分的分解状態で示す平面図である。
【図１２】圧着工具のさらなる実施形態を、種々の部分的分解状態で示す平面図である。
【図１３】圧着工具のさらなる実施形態を、部分的分解状態で示す平面図である。
【図１４】圧着工具のさらなる実施形態を、部分的分解状態で示す平面図である。
【発明を実施するための形態】
【００３８】
この図面の説明の枠内で、種々の実施形態に対しては、幾何形状および／または機能に関して一致する、または類似する構成要素には同じ参照符号が使用される。ここで、機能および／または幾何形状に関して対応する複数の構成要素が一実施形態に含まれる場合、これらは部分的に同じ参照符号により示されるが、補充的にａ），ｂ）等により区別される。この場合、参照符号は補充的な文字付で、あるいは文字無しで使用されることがある。
【００３９】
可動のハンドレバーまたは付加的ハンドレバーの閉鎖位置により、可動のハンドレバーまたは付加的ハンドレバーが固定のハンドレバーの方向に最大まで旋回されている位置が示されている。対応の旋回運動は、閉鎖運動または閉鎖行程と称される。反対に、開放位置および開放運動は、可動のハンドレバーまたは付加的ハンドレバーの位置を表し、この位置では可動のハンドレバーまたは付加的ハンドレバーが固定のハンドレバーから（好ましくは最大まで）離れるように旋回されており、あるいは開放位置を引き起こすための対応の運動が行われる。可動の挟み込み部材および可動の挟み込みジョーに関して、閉鎖位置は、挟み込みジョーが最大に閉鎖されている位置を表す。すなわちダイに配置された加工品は、完全に圧縮または圧着されているここで閉鎖運動は、閉鎖位置の方向での運動を表す。可動の挟み込みジョーの開放位置は、閉鎖位置に対して開放された挟み込みジョーの位置を表し、開放運動は、開放位置の方向での挟み込みジョーの運動を表す。可能な開放位置は、特に以下のとおりである。
【００４０】
装填位置および／または取り出し位置、この位置では挟み込みジョーが広く開放されており、圧縮または圧着されていない加工品を、遊びを伴って装填することができ、圧縮または圧着された加工品を大きな遊びを伴ってダイから取り出すことができるように、ダイにより形成された挟み込み口が開放されている。
【００４１】
準備位置、この位置では挟み込み口の開放が装填位置および／または取り出し位置よりも縮小されており、この位置は、圧縮または圧着工具を、力の作用なしで、かつダイに装填された加工品なしで取り出す（しかし挟み込みジョーの準備位置は、挟み込みジョーの閉鎖位置に完全に対応することができる）。そして
出発位置、この位置ではダイの開放が装填位置および／または取り出し位置よりも縮小されているが、閉鎖バネ力が加工品を押圧し、これを固定するので、ダイの開放は準備位置および加工品の圧着または圧縮の開始前よりも大きい。
【００４２】
次に出発位置から出発して、ユーザにより可動のハンドレバーを操作することによって本来の圧縮または圧着行程が実施される。この行程は、（場合により所定のアイドル行程の後）出発位置から閉鎖位置に経過する。
【００４３】
図１から９に示した圧着工具１の実施例に関して、この圧着工具は固定の挟み込み部材２と可動の挟み込み部材３を有する。
【００４４】
固定の挟み込み部材２は、固定の挟み込みジョー４と固定のハンドレバー５を有し、これらは互いに固定的に接続されている。可動の挟み部材３は、可動の挟みジョー６を有する。
固定の挟み込み部材２と可動の挟み込み部材３は、旋回支承部７を介して互いに旋回可能に接続されている。
【００４５】
固定の挟み部材２には旋回支承部８を介して可動のハンドレバー９も旋回可能にリンクされている。可動のハンドレバー９は、伝動機構１０を介して可動の挟み込み部材３と、可動のハンドレバー９を固定のハンドレバー５に対して手動で旋回することにより、可動の挟み込み部材３の旋回、すなわち固定の挟み込みジョー４に対する可動の挟み込みジョー６の旋回を引き起こすことができるように連結されている。
【００４６】
挟み込みジョー４，６が、加工品を圧縮または圧着するためのダイを直接的に形成することも可能である。しかし図示の実施例に関しては、挟み込みジョー４，６は適切な収容部を介してダイを支持する。ここで収容部とダイは米国特許第６０５３０２５号明細書に対応して構成されており、その開示内容は、本特許出願の対象とされる。
【００４７】
図示の実施例に関して、伝動機構１０がニーレバー伝動部１１として構成されている。特に図３から分かるように、ニーレバー伝動部１１は、圧力レバー１２として構成されたニーレバー１３を有し、一方、他方のニーレバー１４は可動のハンドレバー９のクランク状の端部領域により形成されている。２つのニーレバー１３，１４は、ニー継手１５を介して互いに旋回可能に接続されている。ここでニーレバー１４は、可動のハンドレバー９のクランク状の材料領域と、ニー継手１５との間に形成される。ニー継手１５とは反対側のニーレバー１３の端部領域は、旋回支承部１６を介して可動の挟み込み部材３にリンクされている。
【００４８】
特に図３から分かるように、ニーレバー１３，１４は、準備位置５５において９０°から１２０゜の範囲にあるニー角を形成する。可動のハンドレバー３がその開放位置からその閉鎖位置に移行することによって、ニー角を増大することができる。ニー角は、閉鎖位置では、例えば１７０゜から１８０゜の間にあり、したがって閉鎖運動によりニー角は拡張状態に近似し、それに結び付いたニーレバー伝動部１１の大きな力を展開する。
【００４９】
以下では、圧着工具１の最適の構成可能性について記述する。これらの構成可能性は、択一的にまたは追加的に使用することができる。
【００５０】
図１から９の実施例に関し、挟み込み部材２，３はそれぞれプレート状に構成されており、ここではそれぞれ２つのプレート、すなわち２つの固定の挟み込み部材板１７a，１７bと可動の挟み込み部材板１８ａ，１８bを備える。ここで可動の挟み込み部材板１８ａ，１８ｂは、互いに直接隣接して配置されており、２つの固定の挟み込み部材板１７ａ，１７ｂの間に配置されている。一方、可動の挟み込み部材板１８ａ，１８ｂは、ここでは同じ幾何形状（特に外側形状と孔部幾何形状）を有し、図示の実施例の固定の挟み込み部材板１７ａ，１７ｂとは、挟み込み部材板１７ａが固定のハンドレバー部材１９を形成するのに対し、固定の挟み込み部材板１７ｂには対応する固定のハンドレバー部材が存在しない点で異なる。
【００５１】
図１から９に図示の実施例に関し、旋回支承部７，８，１６およびニー継手１５は、それぞれ旋回ボルト２０，２１，２２，２３により形成されている。前記旋回ボルトは、それぞれ適切な孔部に、旋回支承部７，８，１６あるいはニー継手１５を介して互いに接続されている構成要素において旋回自由度を可能にしながら保持されている。
【００５２】
図１から９に図示の実施例に関し、圧力レバー１２により形成されたニーレバー１３は、固定の挟み込み部材板１７の外に存在し、一方、ニーレバー１４は固定の挟み込み部材板１７ａ，１７ｂの内部に配置されている。この理由から、ニー継手１５の旋回ボルト２３は固定の挟み込み部材板１７ａ，１７ｂを通って貫通案内されている。ニーレバー伝動部１１の操作中に旋回ボルト２３の運動を阻止するために、固定の挟み込み部材板１７ａ，１７ｂは、旋回ボルト２３の所要の運動に対応する湾曲した長穴２４ａ，２４ｂを有する。対応して固定の挟み込み部材板１７も長穴２５ａ，２５を有し、これにより、ニーレバー伝動部１１の操作中に旋回ボルト２２の運動を阻止せず、可動の挟み込み部材３の運動を可能にする。
【００５３】
図１から９に図示の実施例に関し、２つの可動のハンドレバープレート２６ａ，２６ｂが設けられており、これらは互いに直接隣接して配置されている。可動のハンドレバープレート２６は、可動の挟み込み部材板１８と同じ平面内に伸長している。可動の挟み込み部材板１８と可動のハンドレバープレート２６は、それぞれ互いに堅固に接続されている。同じことが固定の挟み込み部材板１７に対しても当てはまる。
【００５４】
図１から９に図示の実施例に関し、２つのニーレバー１３ａ，１３ｂは２つの圧力レバー１２の形態で設けられている。２つの圧力レバーは、旋回ボルト２２，２３を介して互いに連結されており、固定の挟み込み部材板１８の外側で異なる側に配置されている。
【００５５】
図１から９に図示の実施例に関し、可動の挟み込み部材板１８ａ，１８ｂは２分割式に構成されている。このことを、例として可動の挟み込み部材板１８ａについて説明する。可動の挟み込み部材板１８ａは支持プレート２７を有し、この支持プレートは、旋回支承部８の旋回ボルト２１のための孔部を有する。挟み込みヘッドに向いた端部領域において、支持プレート２７は、挟み込みジョープレート２９のための固定領域２８を有する。図示の実施例に関し、支持プレート２７にある固定領域２８での挟み込みジョープレート２９の固定は、互いに離間して配置された２つの固定ボルト３０，３１を介して行われる。これら固定ボルトは、支持プレート２８および挟み込みジョープレート２９の対応する孔部に収容されている。ここで固定ボルト３０，３１の長手軸は、取り付けられた状態で、旋回支承部８の旋回軸に対してほぼ接線方向に配向されている。支持プレート２７と挟み込みジョープレート２９は、それぞれおおよそＬ字形に構成されている。固定領域２８を形成するためのＬ字の２つの短い脚部は重なっており、Ｌ字の長い脚部は互いに平行に配置されている。挟み込みジョープレート２９は、外側から支持プレート２７に宛がわれており、したがって挟み込みジョープレート２９は、固定の挟み込み部材板１７ａ，１７ｂと同じ平面内に伸長する。
【００５６】
図１から９の実施例に関し、ニーレバー伝動部１１には強制ロック部３２が作用する。強制ロック部３２により、可動の挟み込みジョー６の一度達成された位置が、圧縮または圧着行程の間、開放しないように確保される。このことは、強制ロック部３２の個別のステップで行われる。可動の挟み込みジョー６が閉鎖位置に達すると、強制ロック部３２が確保作用を中止し、これにより可動の挟み込みジョー６を再び開放することができる。図示の実施例に関し、可動のハンドレバー９、ここでは可動のハンドレバープレート２６ａは、ロック歯部３３を有する。このロック歯部３３にロック要素３４が係合する。このロック要素は、旋回可能に固定の挟み込み部材２に支承されており、強制ロック部３２のバネ３５を介してロック方向に付勢されている。ここでロック歯部３３とロック要素３４の幾何形状およびバネ３５の作用は、ロック要素３４が、ロック歯部２３に沿った可動のハンドレバー９の閉鎖運動のためにラッチのように運動することができ、一方、ロック要素は可動のハンドレバー９の開放運動に対しては、ロックするようにロック歯部３３に係合するように整合されている。可動のハンドレバー９が閉鎖位置に達すると、ロック要素３４は、ロック要素３４の他方の係合面がロック歯部３３と交互作用するように切り替わり、これによりハンドレバー９の開放運動が可能になる。
【００５７】
図１から９の実施例に関し、可動の挟み込み部材３は、閉鎖バネ３６を介して閉鎖方向に付勢される。閉鎖バネ６のバネ脚点３７が固定の挟み込み部材２に、ここでは固定の挟み込み部材２により担持されるボルト３８を介して支持されている。他方のバネ脚点３９は、可動の挟み込み部材３に、ここでは可動の挟み込み部材３により担持されるボルト４０を介して支持されている。
【００５８】
図１から９の実施例に関し、可動の挟み込み部材３に対して平行に作用する２つの閉鎖バネ３６が設けられている。ここで２つの閉鎖バネ３６は、２つの固定の挟み込み部材板１７の外側に配置されている。したがってボルト４０は、固定の挟み込み部材板１７の長穴４１ａ，４１ｂを通って伸長し、これら長穴は、可動の挟み込み部材３の旋回によるボルト４０の運動を妨げないように配置され成形されている。
【００５９】
図１から９に示した実施例に関し、可動のハンドレバー９には開放バネ４２が作用する。開放バネ４２のバネ脚点４３は、ここではボルト４４によって固定の挟み込み部材２に支持されている。他方のバネ脚部４５は、ここではボルト４６を介して可動のハンドレバー９に支持されている。このことは、旋回支承部８の旋回軸に対して偏心して、開放バネ４２が可動のハンドレバー９を開放方向に付勢するように行われる。
【００６０】
図１から９に図示の実施例に関し、２つの開放バネ４２が設けられており、これら開放バネは、可動のハンドレバー９に対して平行に作用し、固定の挟み込み部材板１７の外部に配置されている。この理由から、ボルト４６は固定の挟み込み部材板１７ａ，１７ｂの長穴４７ａ，４７ｂを通って貫通案内されており、これら長穴は、可動のハンドレバー９の旋回を妨げないように配置され成形されている。ここで可動のハンドレバー９が開放位置に達すると、ボルト４６は長穴４７の端部領域に当接することができ、これによりハンドレバー９の開放位置が設定され、可動のハンドレバー９のさらなる開放は不可能となる。
【００６１】
図１から９に図示の実施例に関し、可動の挟み込み部材３は、ここでは付加的ハンドレバー４９として構成されたさらなるレバー４８を有する。ここで付加的ハンドレバー４９は、ロッド状の、例えば軽く湾曲した、可動の挟み込み部材板１８の突起として構成されている。ここで付加的ハンドレバー４９は、固定のハンドレバー５と可動のハンドレバー９との間に配置されており、これらの旋回領域は、例えば少なくとも係数２だけ、少なくとも係数３だけ、少なくとも係数４だけ、少なくとも係数５またはそれどころか少なくとも係数８だけ、可動のハンドレバー９の旋回領域よりも小さい。可動のハンドレバー９の閉鎖位置では（図７参照）、付加的ハンドレバー４９が、可動のハンドレバー９と固定のハンドレバー５のほぼ中央に配置されている。図示の実施例に関し、付加的ハンドレバー４９は、可動のハンドレバー９よりも短く構成されている。または、付加的ハンドレバー４９の端部領域の旋回円セグメントは、可動のハンドレバー９の旋回円セグメント内にあるが、これは必須ではない。付加的ハンドレバー４９は、外から固定のハンドレバー５に置かれた手の指により、少なくとも１つの前指によりこれを把持し、操作できるように構成され配置されている。付加的ハンドレバー４９の長さに応じて、付加的ハンドレバー４９の操作に使用される指の数は変更可能であることが理解される。
【００６２】
伝動機構１０、ここではニーレバー伝動部１１が遊びなしで構成されている場合、可動のハンドレバー９の各位置は、付加的ハンドレバー４９、および可動の挟み込みジョー６を備える可動の挟み込み部材３の割り当てられた位置と一義的に関連している。この一義的な割り当てを解除するために、伝動機構１０、ここではニーレバー伝動部１１には遊び５０が設けられている。図示の実施例に関し、遊び５０は、ニーレバー１３，１４が、ニー継手１５の領域において旋回自由度のみを介して連結されているのではなく、ニーレバー１３，１４がニー継手１５の領域において摺動自由度を有することによって提供される。この目的のために、ニーレバー１３、ここでは圧力レバー１２は、ニーレバー１４の領域に長穴５１を有し、この長穴内で旋回ボルト２３が摺動可能に案内される。ここでは長穴５１の長さが、遊び５０を設定する。長穴５１の端部領域が、ニーレバー伝動部１１の旋回ボルト２３のためのストッパ５２を形成する。圧縮または圧着行程の間、旋回ボルト２３は、圧縮または圧着力を伝達するためにストッパ５２に当接する。
【００６３】
図１から９に示された実施例の圧着工具１の機能を、図３から９に示された圧着工具１の種々の動作位置に基づいて説明する。
【００６４】
図３は、ユーザにより適用される操作力が存在せず、ダイ５３，５４に装填される加工品を備えない圧着工具１を示す。閉鎖バネ３６の作用の結果、可動の挟み込み部材は、挟み込みジョー６ないしそのダイ５３，５３と共に閉鎖位置にあり、したがって挟み込み口は開放されている。この閉鎖位置は、付加的ハンドレバー４９の開放位置に関連している。閉鎖バネ３６は、閉鎖バネ力が最小の状態にある。閉鎖位置では閉鎖バネ力はゼロとすることができ、または閉鎖バネ力は既にゼロより大きくてもよい。伝動機構１０が遊び５０を有しないとすれば、挟み込みジョー４，６の閉鎖位置は可動のハンドレバー９の閉鎖位置と関連することになる。しかし、ここでは圧力レバー１２の長穴５１により遊び５０が提供されているから、開放バネ４２は可動のハンドレバー９を開放位置に移動させることができる。図３の動作位置では、開放バネ４２も開放方向に作用する最小の開放バネ力を有する。図３の動作位置は、準備位置５５とも称することができる。
【００６５】
図３の準備位置から図４の装填位置および／または取出し位置５６を引き起こすことができる。そのために付加的ハンドレバー４９が、図３のその開放位置から図４のその閉鎖位置へ手動で旋回される。これには、可動の挟み込み部材３の対応の旋回が伴い、これにより可動の挟み込み部材および可動の挟み込みジョー６は開放位置、すなわち装填位置および／または取出し位置を取る。遊び５０があるので、可動のハンドレバー９は、ここではその開放位置に留まることができる。付加的ハンドレバー４９が旋回する間、旋回ボルト２３は長穴５１に沿ってスライドする。付加的ハンドレバー４９の旋回により、閉鎖バネ３６の閉鎖力が増大される。可動のハンドレバー９は旋回しないから、開放バネ４２の開放バネ力は変化しない。図４に示されるように、このようにして引き起こされた装填位置および／または取出し位置では加工品５７を挟み込み口およびダイ５３，５４の間に導入することができる。
【００６６】
手動で付加的ハンドレバー４９にもたらされた手の力が除去されると、閉鎖バネ３６の作用の結果、付加的ハンドレバー４９が開放方向に自動的に運動し、この運動は可動の挟み込み部材３の閉鎖運動を伴う。この閉鎖運動は、図５の保持位置５８に達するまで行われる。保持位置５８では、閉鎖バネ３６により可動の挟み込み部材３に及ぼされる閉鎖バネ力は、加工品が挟み込みジョー４，６の間、またはダイ５３，５４の間で緊張されていることによって支えられる。閉鎖バネ力によるこの緊張は、ダイ５３，５４に対する加工品５７の位置および／または配向を確保する。図４の装填位置および／または取出し位置から図５の保持位置５８への移行に関し、閉鎖バネ３６の閉鎖バネ力は低減するが、小さな加工品を使用する場合でも、閉鎖バネ３６が設置されているので、加工品５７の位置および／または配向の維持を保証するのにまだ十分な大きさである。開放バネ４２の開放バネ力は、相変わらず変化しない。図４の装填位置および／または取出し位置から図５の保持位置に移動する間、旋回ボルト２３は長穴５１に沿って部分経路を運動し、旋回ボルト２３は長穴５１のストッパ５２からまだ離間して配置されている。ここで、ストッパ５２からの旋回ボルト２３の残りの間隔は、圧縮されていない、または圧着されていない状態の加工品５７の大きさに依存する。
【００６７】
そしてユーザは、操作力を可動のハンドレバー９に適用することができる。図５の保持位置から可動のハンドレバー９の操作により、まずアイドル行程が引き起こされる。このアイドル行程ではハンドレバー９の運動が可動の挟み込み部材３の運動と結び付いていない。むしろアイドル行程では、ストッパ５２からの旋回ボルト２３の間隔がなくなり、その結果、アイドル行程の終了時に旋回ボルト２３はストッパ５２に当接するようになる。これにより、図６に示した出発位置５９に達する。アイドル行程の間、閉鎖バネ３６の閉鎖バネ力は変化せず、一方、開放バネ４２の開放バネ力が増大する。その結果、アイドル行程の間、手動の操作力によって開放バネ４２は撓まなければならない。
【００６８】
そして図６の出発位置から出発して、本来の圧縮または圧着行程を実施することができ、この行程の終了時に図７の閉鎖位置に到達する。圧縮または圧着行程の間、遊び５０は除去されている。圧縮または圧着行程の間、旋回ボルト２３はニーレバー伝動部１１において、長穴５１により提供される並進的な自由度をもはや備えない。むしろ旋回ボルト２３は、ニーレバー伝動部１１での力伝達のためにストッパ５２に当接する。ここでストッパ５２およびこれにより提供されるニー継手１５の領域における旋回運動は相変わらず可能である。圧縮または圧着行程の間、可動のハンドレバー９の旋回の結果、開放バネ４２のさらなる付勢が行われる。同時に、可動の挟み込み部材３の旋回が増大することにより、閉鎖バネ３６の付勢が低減される。閉鎖位置７に達すると、加工品５７は、ダイ５３，５４の間で完全に圧縮または圧着される。
【００６９】
次にユーザにより適用される手の力が除去されても、閉鎖バネ３６の作用の結果、挟み込みジョー４，６の閉鎖位置と、付加的ハンドレバー４９の開放位置は維持されたままである。これにより、閉鎖バネ３６によって形成される閉鎖バネ力も、圧着された加工品５７が挟み込みジョー４，６の間に、ここではダイ５３，５４の間に緊張され、ダイ５３，５４から落下できないようにする。開放バネ４２の作用により、ハンドレバー９は図７の閉鎖位置から図８の開放位置に旋回する。この運動の間、伝動機構１０の遊び５０が利用される。図示の実施例に関し、このことは、旋回ボルト２３がストッパ５２から離れるように運動することを意味する。
【００７０】
圧縮または圧着された加工品５７を圧着工具１から除去すべき場合、付加的ハンドレバー４９の操作によって可動の挟み込み部材３および可動の挟み込みジョー６の装填位置および／または取出し位置５６への移行を引き起こすことができる（図９参照）。
【００７１】
圧着工具１に強制ロック部３２が設けられている場合、この強制ロック部はロック作用を、もっぱらアイドル行程および／または圧縮または圧着行程の間だけ形成し、前に記載した運動は強制ロック部３２により阻止されない。
【００７２】
圧着工具１のプレート、ここでは固定の挟み込み部材板１７および／または可動の挟み込み部材板１８の間に形成される中間空間は、例えばプラスチック製の外装６１により外に向かって閉鎖または密閉されている。ここに図示の実施例に関し、外装６１は近似的にT字状に構成されており、垂直脚により形成されたウェブ６２を備える。ウェブ６２の領域では、外装６１と可動の挟み込み部材３との固定が行われ、このことは、ここでは固定ボルト３０，３１によって行われる。対応の外装６３が、固定の挟み込み部材板１７の外側の端面側の領域に伸長している。図示の実施例に関し、外装６３は外側固定環６４を有する。この固定環の機能を以下にさらに説明する。
【００７３】
図１から９に図示の実施例に関し、圧着工具１は、機械的な挟み込む部材６５だけを有する。変形実施形態に関し、図１０の圧着工具１は、機械的な挟み込み部材６５に加えて電子構成ユニット６６を有する。電子構成ユニット６６の構成、その機能、機械的挟み込み部材６５とのその連結、および／またはそのエネルギー供給、並びにその無線または有線通信は、未公開の欧州特許出願、書類番号ＥＰ１８１７３８０３．０に対応して構成することができ、当該特許出願は、その点で本願の対象となる。
【００７４】
電子構成ユニット６６はケーシングを有し、このケーシングは半シェル状の２つのケーシング部分６７，６８により形成されている。ケーシング部分６７，６８には、ディスプレイのための観察窓を形成する透明のカバーディスク６９または表示器７０を配置することでができる。ケーシング、ここではケーシング部分６７と機械的挟み込み部材６５との間に配置された中間空間には基板７１が配置されている。ケーシング部分６７，６８は、互いにそして固定環６４と、適切な接続ピンおよび収容部を介して係止、ロックまたは圧着されている。
【００７５】
電子構成ユニット６６の電力供給に関し、この電子構成ユニットは、バッテリーまたは再充電可能なアキュムレータ７３を備えるホルダ７２を有することができる。図示の実施例に関し、ホルダ７２は固定の挟み込み部材２、ここでは固定のハンドレバー部材１９の領域に保持されている。このことは、圧着工具１の純粋に機械的な構成に対して必要ないにもかかわらず図１から９に示されている。ハンドグリップ７４を固定のハンドレバー部材１９上にスライドすることができ、その内部空間にはホルダ７２がバッテリー７３と共に収容されている。そしてハンドグリップ７４を固定の挟み込み部材２、ここでは固定のハンドレバー部材１９に固定することができる。このことは、ラッチおよび／またはロック接続によっても行うことができ、例えば解除可能な接続により行うことができる。接続の解除は、ハンドグリップをラッチ解除するために押しボタンを操作することにより行われ、押しボタンは他方のハンドレバー９に向いた内部側に配置することができる。ここでハンドグリップ７４の除去は、バッテリーまたはアキュムレータ７３の交換のために利用することができる。
【００７６】
図１１と１２は、圧着工具１の一実施例を示す。この圧着工具は、以下に述べる相違点を除いて、図１から９の実施形態に実質的に相当する。ここで圧力レバー１２は長穴５１を有しておらず、そのため伝動機構１０も遊び５０を有していない。その結果、可動の挟み込みジョー６を装填位置および／または取出し位置に移行するために付加的ハンドレバー４９を操作すると、可動のハンドレバー９も（さらに）開放位置に旋回する。
【００７７】
図１から９とは異なり、図１１と１２に示された実施例に関し、閉鎖バネ３６と開放バネ４２も異なって構成されており、圧着工具１に組み込まれている。閉鎖バネ３６と開放バネ４２は、ここでは一体式弾性装置７５として構成されており、Ｕ字形の湾曲バネであり、互いに接続された弾性の側脚部７７，７８を有する。側脚部７７は、その自由端部領域において支持部７８に支持されている。この支持部は、可動の挟み込み部材３により形成されるか、または保持されている。端部領域では、側脚部７７が付加的に支持部８０にも支持されており、この支持部は、固定の挟み込み部材２により形成されるか、または支持されている。他方の側脚部７８は、自由端部領域において支持部８１に支持されている。この支持部は、可動の挟み込み部材３により形成されるか、または保持されている。さらに、側脚部７８は支持部８２に支持されており、この支持部は、固定の挟み込み部材２により形成されるか、または支持されている。この構成に関して、以下のように変更された圧着工具１の機能が得られる。
【００７８】
図１２では、弾性装置７５が２つの支持部８０，８２の間で固定の挟み込み部材３に支持されており、これにより捕捉されている。したがってこれは、安定した平衡位置である。付加的ハンドレバー４９の操作により、支持部７９が側脚部７７を連行し、一方、側脚部７８は相変わらす支持部８２に支持されている。したがって弾性装置７５は圧縮され、閉鎖バネ力を形成する。付加的ハンドレバー４９に起因するこの運動の間、側脚部７７は支持部８０から、側脚部７８は支持部８１から離れる。したがって、付加的ハンドレバー４９を介して引き起こされた装填位置および／または取出し位置では、弾性装置におり形成された閉鎖力が作用し、この閉鎖力は、可動の挟み込みジョー６を、図１２の出発位置に再び戻そうとする。したがってここでも、図１２の出発位置におけるよりもさらに開放された可動の挟み込みジョー６の位置により、緊張が行われるほど加工品５７の寸法が大きい場合には、加工品５７の緊張が行われる。
【００７９】
可動のハンドレバー９によって本来の圧縮または圧着行程が実施されると、支持部６１は側脚部７８を共に移動させ、それにより側脚部７８は支持部８２から離れる。これに対して圧着または圧縮工程の間、側脚部７７は支持部８０に支持されており、一方、支持部７９は側脚部７７から離れる。したがって弾性装置７５は、圧縮または圧着行程の間、開放バネ力を形成し、この開放バネ力を、閉鎖位置に到達することにより、弾性装置７５に起因する図１２の出発位置への自動的な開放運動のために利用することができる。
【００８０】
図１３も、伝動機構１０が遊び５０を有しない圧着工具１の実施例を示す。基本的に、図１３の圧着工具１の操作運動は、前に説明した実施例に対応して構成されている。この場合では、可動のハンドレバー９がレバー部材８３を有し、このレバー部材は、出発位置から装填位置および／または取出し位置への運動のために閉鎖バネ３６を付勢する。一方、レバー部材８３は、出発位置から閉鎖位置への圧縮または圧着行程の実施のために開放バネ４２を付勢する。ここで開放バネ４２と閉鎖バネ３６は、それぞれ異なる側で単に出発位置まで適切に当接することにより、レバー部材８３に追従することができる。
【００８１】
図１４に示した圧着工具１の実施例は、基本的に図１から９に示した実施例に対応する。とりわけここでは、さらなるレバー４８が、２つのハンドレバー５，９の間に配置された付加的ハンドレバー４９としては構成されていない。むしろこの実施例に関し、さらなるレバー４８は、２つのハンドレバー５，８の間の中間空間の外に伸長する。図示の実施例に関し、さらなるレバー４８は上方に向かって、固定の挟み込み部材板１７により形成された圧着工具１のケーシングから離れるように伸長している。さらなるレバー４８はこの場合、固定のハンドレバー５上に置かれたユーザの手に関し、指、とりわけ手の親指により、さらなるレバー４８を操作することができるように配置され構成されていることも可能である。
【００８２】
図１から９に示した実施例に関し、準備位置のために可動のハンドレバー９はその開放位置にあった。このことは、圧着工具１の準備のために比較的に大きな構造空間を必要とする。このことを回避したい場合、それ以外は対応する構成において、可動のハンドレバー９を閉鎖位置に（または他の位置にも）ラッチまたはロックすることができる。この場合、ユーザにより十分な操作力を可動のハンドレバー９に及ぼすことによりラッチ位置を去ることができる。または可動のハンドレバー８の開放バネが作用することによるロック装置の解除によって自動的に開放位置に移行される。
【符号の説明】
【００８３】
１  圧着工具
２  固定の挟み込み部材
３  可動の挟み込み部材
４  固定の挟み込みジョー
５  固定のハンドレバー
６  可動の挟み込みジョー
７  旋回支承部（固定のハンドレバー、可動の挟み込み部材）
８  旋回支承部（可動のハンドレバー、固定の挟み込み部材）
９  可動のハンドレバー
１０  伝動機構
１１  ニーレバー伝動部
１２  圧力レバー
１３  ニーレバー（圧力レバー）
１４  ニーレバー（ハンドレバー）
１５  ニー継手
１６  旋回支承部（圧力レバー、可動の挟み込み部材）
１７  固定の挟み部材板
１８  可動の挟み込み部材板
１９  固定のハンドレバー部材
２０  旋回ボルト（旋回支承部７）
２１  旋回ボルト（旋回支承部８）
２２  旋回ボルト（旋回支承部１６）
２３  旋回ボルト（ニー継手１５）
２４  長穴（挟み込み部材板１７における旋回ボルト２３のための）
２５  長穴（挟み込み部材板１７における旋回ボルト２２のための）
２６  可動のハンドレバー板
２７  支持プレート
２８  固定領域
２９  挟み込みジョープレート
３０  固定ボルト
３１  固定ボルト
３２  強制ロック部
３３  ロック歯部
３４  ロック要素
３５  バネ（強制ロック部）
３６  閉鎖バネ
３７  バネ脚点（閉鎖バネ３６；固定の挟み込み部材２に支持されている）
３８  ボルト（支持部  バネ脚点３７）
３９  バネ脚点（閉鎖バネ３６；可動の挟み込み部材３に支持されている）
４０  ボルト（支持部  バネ脚点３９）
４１  長穴（ボルト４０のための）
４２  開放バネ
４３  バネ脚点（開放バネ４２；固定の挟み込み部材２に支持されている）
４４  ボルト（支持部  バネ脚点４３）
４５  バネ脚点（開放バネ４２；可動のハンドレバー９に支持されている）
４６  ボルト（支持部  バネ脚点４５）
４７  長穴（ボルト４６のための）
４８  さらなるレバー  
４９  付加的ハンドレバー
５０  遊び
５１  長穴（圧力レバー１２）
５２  ストッパ（長穴５１）
５３  ダイ
５４  ダイ
５５  準備位置
５６  装填位置および／または取出し位置
５７  加工品
５８  保持位置
５９  出発位置
６０  閉鎖位置
６１  外装（可動の挟み込み部材板）
６２  ウェブ
６３  外装（固定の挟み込み部材板）
６４  固定ボルト
６５  機械的挟み込み部材
６６  電子構成ユニット
６７  ケーシング部分
６８  ケーシング部分
６９  カバーディスク
７０  ディスプレイ、表示器
７１  基板
７２  ホルダ
７３  バッテリー
７４  ハンドグリップ
７５  弾性装置
７６  湾曲バネ
７７  側脚部
７８  側脚部
７９  支持部
８０  支持部
８１  支持部
８２  支持部
８３  レバー部材
【図１】
2020097093.tif 000003
【図２】
2020097093.tif 000004
【図３】
2020097093.tif 000005
【図４】
2020097093.tif 000006
【図５】
2020097093.tif 000007
【図６】
2020097093.tif 000008
【図７】
2020097093.tif 000009
【図８】
2020097093.tif 000010
【図９】
2020097093.tif 000011
【図１０】
2020097093.tif 000012
【図１１】
2020097093.tif 000013
【図１２】
2020097093.tif 000014
【図１３】
2020097093.tif 000015
【図１４】
2020097093.tif 000016
【外国語明細書】
2020097093000001.pdf